(57)【要約】      （修正有）【課題】マット主体１がその外周の対向する２辺相互を繋ぐ複数の直線状の折り曲げ溝によって同方向へ少なくとも３つのブロックに区分けされた折り畳み可能な浴室用マットにおいて、折り畳んだ形態を保持しやすい、取り扱いの容易な浴室用マットを提供すること。【解決手段】隣り合う２つの折り曲げ溝１１Ａ，１１Ｂにおける一方の折り曲げ溝１１Ｂは、その幅が他方の折り曲げ溝１１Ａの幅よりマット主体１の厚さ分大きい寸法に設定されていること。【選択図】図１
0003125348.tif 000002
【実用新案登録請求の範囲】
【請求項１】
マット主体がその外周の対向する２辺相互を繋ぐ複数の直線状の折り曲げ溝によって同方向へ少なくとも３つのブロックに区分けされた折り畳み可能な浴室用マットにおいて、
隣り合う２つの折り曲げ溝における一方の折り曲げ溝は、その幅が他方の折り曲げ溝の幅よりマット主体の厚さ分大きい寸法に設定されている、浴室用マット。
【請求項２】
請求項１に記載の浴室用マットにおいて、
前記折り曲げ溝は、その底部中央にマット主体の表面位置まで膨出する隆起部を備えた、浴室用マット。
【請求項３】
請求項２に記載の浴室用マットにおいて、
前記折り曲げ溝の側壁は、その折り曲げ溝の両側のブロック相互を折り畳んだ際に、前記隆起部の側面と重なり合うことを特徴とする、浴室用マット。
【請求項４】
請求項３に記載の浴室用マットにおいて、
前記折り曲げ溝の側壁と前記隆起部の側面とのなす角度は、マット主体が展開された状態において９０度に設定されている、浴室用マット。
【考案の詳細な説明】
【技術分野】
【０００１】
本考案は、浴室の洗い場に敷いて使用する浴室用マット、特に折り畳み可能な浴室用マットに関するものである。
【背景技術】
【０００２】
従来の浴室用マットにおいて、その外周の対向する２辺相互間に直線状の折り曲げ溝を備えた折り畳み可能なものが知られている。
図７（ａ）は、この種の浴室用マットとして説明するマット主体９の斜視図であり、図７（ｂ）は、その折り曲げ溝９１近傍の長辺側端面図である。また、図８（ａ）から（ｃ）は、上記マット主体９を折り畳む様子を示した長辺側端面図である。
【０００３】
図７（ａ）および（ｂ）に示すように、マット主体９は、合成樹脂発泡体を熱圧縮加工によって略矩形平板状に形成したものであり、その表裏面には、長辺相互を繋ぐ平行な３つの直線状の折り曲げ溝９１，９１，９１が形成されている。マット主体９は、これら３つの折り曲げ溝９１，９１，９１によって長手方向へ４つのブロック９０Ａ，９０Ｂ，９０Ｃ，９０Ｄに区分けされている。
【０００４】
上記折り曲げ溝９１は、断面略コの字状に形成されており、マット主体９の表裏面でそれぞれ同一位置に設けられている。従って、折り曲げ溝９１の底部には、帯状の薄肉部９１０が形成されている。この薄肉部９１０の厚さＴ２は、マット主体９の厚さＴ１よりも薄く、マット主体９に比べて可とう性が高い。また、薄肉部９１０は、マット主体９の表裏面間の中心線上に位置しており、その幅Ｓ１がマット主体９の厚さＴ１と略同一の寸法に設定されている。
【０００５】
このものでは、図８（ａ）から（ｃ）に示すように、マット主体９をその折り曲げ溝９１，９１，９１で蛇腹状に折り曲げれば、４つのブロック９０Ａ，９０Ｂ，９０Ｃ，９０Ｄを重ね合わせた状態でコンパクトに折り畳むことができる。
【考案の開示】
【考案が解決しようとする課題】
【０００６】
しかしながら、上記従来の浴室用マットでは、図８（ｂ）および（ｃ）に示すように、蛇腹状に折り曲げて畳むため、折り曲げられた薄肉部９１０の復元力によって、再び、図８（ｂ）のような開いた状態に戻り易く、取り扱いが不便であった。
【０００７】
本考案は係る点に鑑みてなされたもので、
『マット主体がその外周の対向する２辺相互を繋ぐ複数の直線状の折り曲げ溝によって同方向へ少なくとも３つのブロックに区分けされた折り畳み可能な浴室用マット』において、折り畳んだ形態を保持しやすい、取り扱いの容易な浴室用マットを提供することをその課題とする。
【課題を解決するための手段】
【０００８】
上記課題を解決するための本考案の技術的手段は、
『隣り合う２つの折り曲げ溝における一方の折り曲げ溝は、その幅が他方の折り曲げ溝の幅よりマット主体の厚さ分大きい寸法に設定されている』ことである。
上記技術手段によれば、マット主体を少なくとも３つのブロックに区分けする複数の折り曲げ溝において、隣り合う２つの折り曲げ溝のうち一方の折り曲げ溝は、他方の折り曲げ溝よりマット主体の厚さ寸法分大きい底部幅を有しているから、隣り合う２つの折り曲げ溝で区分けされた３つのブロックのうち、中央のブロック側に折り畳まれた一端側のブロックへ、その他端側のブロックを重ね合わせた状態でマット主体を折り畳むことができる。
即ち、マット主体を折り畳む際、隣り合う２つの折り曲げ溝で区分けされた３つのブロックのうち、その一端側に位置するブロック（第１のブロック）を中央のブロック（第２のブロック）側へ折り畳んだ後、他端側に位置するブロック（第３のブロック）をその折り畳まれた第１のブロック上へ折り畳むことによって、上記第１のブロックをその上方から第３のブロックで押えた状態で３つのブロックを重ね合わせることができる。
【０００９】
請求項２に係る考案の技術的手段は、
前記請求項１において、
『前記折り曲げ溝は、その底部中央にマット主体の表面位置まで膨出する隆起部を備えた』ことである。
このものでは、上記折り曲げ溝の底部中央に、マット主体の表面位置まで膨出する隆起部が設けられているから、浴室の床面に敷設して使用する際、その折り曲げ溝の底部へ受けた荷重が隆起部によって支持される。従って、その折り曲げ溝の底部側に使用者の体重がかかった場合であっても、その部位が沈み込んだり、マット主体の一部が浮き上がったりするのを抑制できる。
【００１０】
請求項３に係る考案の技術的手段は、
前記請求項２において、
『前記折り曲げ溝の側壁は、その折り曲げ溝の両側のブロック相互を折り畳んだ際に、前記隆起部の側面と重なり合う』ことを特徴とするものである。
このものでは、折り曲げ溝の側壁は、その折り曲げ溝の両側のブロック相互を折り畳んだ状態において、隆起部の側面と重なり合うように構成されているから、マット主体を折り畳んだ際には、隣り合うブロック相互間の折り曲げ部の形態が安定する。
【００１１】
ここで、上記「重なり合う」とは、実質的に重なり合うことを意味し、折り曲げ溝の側壁と隆起部の側面との間に若干の隙間が形成されるものも上記請求項３に係る考案に含まれるが、具体的には、請求項４に係る考案の技術的手段のように、
前記請求項３において、
『前記折り曲げ溝の側壁と前記隆起部の側面とのなす角度は、マット主体が展開された状態において９０度に設定されている』ものとすることができる。
このものでは、折り曲げ溝の両方の側壁と隆起部の側面とのなす角度が、それぞれマット主体を展開した状態において９０°に設定されているから、その折り曲げ溝を挟んで隣り合う２つのブロック相互を合わせるように１８０°折り曲げれば、上記側壁が隆起部の側面へそれぞれ一致するように重なり合う。従って、上記折り曲げ部の形態が安定する。
【考案の効果】
【００１２】
本考案は、上記構成であるから次の特有の効果を有する。
請求項１に係る考案によれば、隣り合う２つの折り曲げ溝で区分けされた３つのブロックのうち、一端側のブロック（第１のブロック）を他端側のブロック（第３のブロック）で押えた状態で折り畳むことができるから、マット主体が元の展開した状態へ戻り難い。これにより、マット主体の折り畳んだ形態を保持しやすい、取り扱いの容易な浴室用マットを提供することができる。
【００１３】
請求項２に係る考案では、折り曲げ溝の底部中央に隆起部を設けることによって、折り曲げ溝の底部の沈み込みやマット主体の一部の浮き上がりを抑制できるから、浴室の床面に敷設して使用する際に、使用者に不快感を与えない。
【００１４】
請求項３および４に係る考案では、マット主体を折り畳んだ際には、折り曲げ溝の側壁と隆起部の側面とが重なり合って、隣り合うブロック相互間の折り曲げ部の形態が安定するから、一層取り扱いの容易な浴室用マットを提供することができる。
【考案を実施するための最良の形態】
【００１５】
次に、上記した本考案を実施するための最良の形態について、添付図面を参照しながら詳述する。
図１は、本考案の実施の形態に係る浴室用マットとして説明するマット主体１の斜視図（図１（ａ）が表側を示す斜視図、図１（ｂ）が裏側を示す斜視図）であり、図２は、その裏側の一部を示す平面図（図２（ａ）が図１（ｂ）に示すＸ−Ｘ部、図２（ｂ）が図１（ｂ）に示すＹ−Ｙ部）である。また、図３は後述する折り曲げ溝１１Ａ，１１Ｂ近傍の長辺側端面図である。以下、そのマット主体１について説明する。
【００１６】
図１（ａ）および（ｂ）に示すように、マット主体１は、熱可塑性樹脂（例えば、エチレン・酢酸ビニル重合体）を所定の発泡率で発泡させ、熱圧縮加工によって略矩形平板状（例えば、縦８５０ｍｍ、横１２００ｍｍ、厚さ２０ｍｍ）に形成されたものであり、その裏側面ＲＳには、長辺相互を繋ぐ平行な２つの直線状の折り曲げ溝１１Ａ，１１Ｂが形成されている。マット主体１は、これら折り曲げ溝１１Ａ，１１Ｂによって長手方向へ略等幅の３つのブロック１０Ａ，１０Ｂ，１０Ｃに区分けされている。
【００１７】
また、上記折り曲げ溝１１Ａ，１１Ｂは、その底部中央に隆起部１２Ａ，１２Ｂを有する断面略Ｗ字状の深溝であり、隆起部１２Ａ，１２Ｂの底部両側に帯状の薄肉部１１０，１１０が形成されている。
上記薄肉部１１０は、その厚さＴ２がマット主体１の厚さＴ１よりも薄く（例えば、２．５ｍｍ）設定されており、幅Ｓ１は、その厚さＴ２よりも大きい寸法（例えば、１０ｍｍ）に設定されている。従って、薄肉部１１０は、マット主体１に比べて可とう性が高く、折り曲げやすい。
【００１８】
一方、マット主体１の各ブロック１０Ａ，１０Ｂ，１０Ｃの中央には、複数の細長の水抜き孔１３が貫設されているとともに、各ブロック１０Ａ，１０Ｂ，１０Ｃの裏側面ＲＳには、その全面に格子状の浅溝１４が形成されている（図２（ａ）および（ｂ）参照）。この浅溝１４は、上記水抜き孔１３とマット主体１の周縁とを繋いでおり、マット主体１を浴室の床面に敷設した際に、マット主体１の裏側面ＲＳと床面との間に水の通路となる空間を形成する。
【００１９】
また、図３に示すように、折り曲げ溝１１Ａ，１１Ｂの側壁１１１は、その傾斜角θ１が略４５°の平面状に形成されている。
さらに、マット主体１の右側に位置する折り曲げ溝（以下、「第２折り曲げ溝」という）１１Ｂの幅、即ち、側壁１１１，１１１相互の対向間距離は、マット主体１の左側に位置する折り曲げ溝（以下、「第１折り曲げ溝」という）１１Ａの側壁１１１，１１１相互の対向間距離よりマット厚Ｔ１分大きい寸法に設定されている。
【００２０】
具体的には、上記第１折り曲げ溝１１Ａの底部幅Ｓ２ａは、マット主体１の厚さ（以下、「マット厚」という）Ｔ１の約３倍の寸法（例えば、６０ｍｍ）に設定されており、上記第２折り曲げ溝１１Ｂの底部幅Ｓ２ｂは、マット厚Ｔ１の約４倍の寸法（例えば、８０ｍｍ）に設定されている。
【００２１】
また、上記構成から分かるように、上記第１折り曲げ溝１１Ａの開口部幅は、マット厚Ｔ１の約５倍の寸法（例えば、９５ｍｍ）に設定されており、上記第２折り曲げ溝１１Ｂの開口部幅は、マット厚Ｔ１の約６倍の寸法（例えば、１１５ｍｍ）に設定されている。さらに、上記第１折り曲げ溝１１Ａの側壁１１１，１１１中央相互の幅は、マット厚Ｔ１の約４倍の寸法（例えば、７７．５ｍｍ）に設定されており、上記第２折り曲げ溝１１Ｂの側壁１１１，１１１中央相互の幅は、マット厚Ｔ１の約５倍の寸法（例えば、９７．５ｍｍ）に設定されている。
【００２２】
一方、上記第１折り曲げ溝１１Ａの隆起部１２Ａは、マット主体１の裏側面ＲＳと同じ高さまで膨出した断面略三角形状に形成されているとともに、その側面１２１は、傾斜角θ２が略４５°の平面状に形成されている。
即ち、第１折り曲げ溝１１Ａは、その側壁１１１および隆起部１２Ａの側面１２１によって、略９０°に開いた２つのＶ字溝ｄ，ｄを有しており、マット主体１を折り畳んだ状態において、上記側壁１１１および側面１２１の表面相互が重なり合うように形成されている。
【００２３】
また、上記第２折り曲げ溝１１Ｂの隆起部１２Ｂは、マット主体１の裏側面ＲＳと同じ高さまで膨出した断面略台形状に形成されており、その側面１２１は、傾斜角θ２が略４５°の平面状に形成されている。
【００２４】
上記隆起部１２Ｂの底部幅は、上述した第２折り曲げ溝１１Ｂの底部幅Ｓ２ｂや第２折り曲げ溝１１Ｂの両端側に形成された薄肉部１１０，１１０の幅Ｓ１等から分かるように、第１折り曲げ溝１１Ａ側の隆起部１２Ａの底部幅よりマット厚Ｔ１分大きく設定されている。
【００２５】
即ち、第２折り曲げ溝１１Ｂは、上記第１折り曲げ溝１１Ａと同様、その側壁１１１および隆起部１２Ｂの側面１２１によって、略９０°に開いた２つのＶ字溝ｄ，ｄを有しており、マット主体１を折り畳んだ状態において、上記側壁１１１および側面１２１の表面相互が重なり合うように形成されている。
尚、上記「裏側面ＲＳ」が、既述請求項２の発明特定事項としての「表面位置」に対応する。
【００２６】
このものでは、上述のように、隣り合う２つの折り曲げ溝１１Ａ，１１Ｂのうち、一方の第２折り曲げ溝１１Ｂの幅が、他方の第１折り曲げ溝１１Ａの幅よりマット厚Ｔ１分大きい寸法に設定されているから、マット主体１の右端側のブロック（以下、「第３のブロック」という）１０Ｃを中央のブロック（以下、「第２のブロック」という）１０Ｂ側へそれら裏側面ＲＳ相互を向かい合わせるように略１８０°折り曲げたときの、それら裏側面ＲＳ相互の距離が、左端側のブロック（以下、「第１のブロック」という）１０Ａを第２のブロック１０Ｂ側へそれら裏側面ＲＳ相互を重ね合わせるように略１８０°折り曲げたときの、それら裏側面ＲＳ相互の距離よりもマット厚Ｔ１分大きくなる。
【００２７】
従って、マット主体１を折り畳む際には、まず、マット主体１の左端側のブロック（以下、「第１のブロック」という）１０Ａを中央のブロック（以下、「第２のブロック」という）１０Ｂ側へ、それら裏側面ＲＳ相互を重ね合わせるように略１８０°折り畳み、その後、マット主体１の右端側のブロック（以下、「第３のブロック」という）１０Ｃを第２のブロック１０Ｂ側へ、それら裏側面ＲＳ相互を向かい合わせるように略１８０°折り畳めば、図４に示すように、隣り合う２つの折り曲げ溝１１Ａ，１１Ｂで区分けされた３つのブロック１０Ａ，１０Ｂ，１０Ｃのうち、第２のブロック１０Ｂ側に折り畳まれた第１のブロック１０Ａをその表側面ＦＳ上から第３のブロック１０Ｃで押えた状態、所謂、一端側を巻き込むようにマット主体１を折り畳むことができる。
これにより、マット主体１を折り畳んだ場合は、元の展開した状態へ戻り難く、その取り扱いが容易であるといった効果を発揮する。
【００２８】
また、上記折り曲げ溝１１Ａ，１１Ｂの底部中央には、マット主体１の裏側面ＲＳ位置まで膨出する隆起部１２Ａ，１２Ｂが形成されており、浴室の床面に敷設して使用する際、マット主体１の表側面ＦＳから折り曲げ溝１１Ａ，１１Ｂの底部へ受けた荷重Ｐは、その隆起部１２Ａ，１２Ｂによって支持される（図３参照）から、マット主体１の表側面ＦＳの折り曲げ溝１１Ａ，１１Ｂの形成部上を使用者が踏んだり、風呂用椅子が載ったりした場合であっても、それらの部位が沈み込んだり、ブロック１０Ａ，１０Ｂ，１０Ｃの片端が浮き上がったりしにくい。従って、浴室の床面に敷設して使用する際にも、使用者に不快感を与えない。
【００２９】
さらに、第１折り曲げ溝１１Ａおよび第２折り曲げ溝１１Ｂは、その側壁１１１および隆起部１２Ａ，１２Ｂの側面１２１によって、略９０°に開いた２つのＶ字溝ｄ，ｄを有しており、マット主体１を折り畳んだ状態において、それら側壁１１１および側面１２１の表面相互が重なり合うように形成されている。即ち、折り曲げ溝１１Ａ，１１Ｂの側壁１１１は、第１のブロック１０Ａと第２のブロック１０Ｂ、第２のブロック１０Ｂと第３のブロック１０Ｃとをそれぞれ折り畳んだ状態において、隆起部１２Ａ，１２Ｂの側面１２１と略一致した状態で重なり合うように構成されている。
これにより、マット主体１を折り畳んだ場合は、隆起部１１Ａ，１１Ｂの各側面１１１と、折り曲げ溝１２Ａ，１２Ｂの各側壁１２１とが重なり合って、マット主体１の左端側のブロック１０Ａと中央のブロック１０Ｂとの間の折り曲げ部や、マット主体１の右端側のブロック１０Ｃと中央のブロック１０Ｂとの間の折り曲げ部の形態が安定する。従って、マット主体１を折り畳んだ際の取り扱いが一層容易である。
【００３０】
また、マット主体１の各ブロック１０Ａ，１０Ｂ，１０Ｃの中央に貫設された複数の細長の水抜き孔１３と、各ブロック１０Ａ，１０Ｂ，１０Ｃの裏側面ＲＳに形成された格子状の浅溝１４によって、マット主体１を浴室の床面に敷設した際に、マット主体１の表側面ＦＳや浴室の床面の水をマット主体１の周縁へ導くことができるから、使用時におけるマット主体１の表側面ＦＳの水きり効果や、浴室の床面との滑り止め効果を発揮する。さらに、マット主体１を折り畳んだ際には、上記浅溝１４によって、ブロック１０Ａ，１０Ｂ，１０Ｃそれぞれの合わせ面に空気の通路となる空間が形成される（図４参照）から、高い通気効果を発揮する。
【００３１】
［その他］
上記実施の形態において、折り曲げ溝１１Ａ，１１Ｂの側壁１１１および隆起部１２Ａ，１２Ｂの側面１２１は、平面状に形成されているが、ブロック１０Ａ，１０Ｂ，１０Ｃを各９０°ずつ折り曲げた際に、上記側壁１１１と側面１２１とが一致した状態で重なり合う形態であれば、図５（ａ）に示すように、上記側壁１１１を凸面、上記側面１２１を凹面に形成して重なり合うようにしたものであっても良いし、図５（ａ）に示すように、上記側壁１１１を凹面、上記側面１２１を凸面に形成して重なり合うようにしたものであっても良い。
【００３２】
また、上記実施の形態において、第１折り曲げ溝１１Ａおよび第２折り曲げ溝１１Ｂの底部中央には、それぞれ隆起部１２Ａ，１２Ｂが形成されているが、図５（ｃ）に示すように、第１折り曲げ溝１１Ｃには隆起部を設けず、第２折り曲げ溝１１Ｄにのみ隆起部１２Ｄを設けたものであっても良い。
【００３３】
このものでは、第１折り曲げ溝１１Ｃは、断面略Ｕ字状の細溝であり、その底部には、上記実施の形態と同様の薄肉部１１０が形成されている。一方、第２折り曲げ溝１１Ｄは、断面略コの字状の深溝の底部中央に、断面略正方形状の隆起部１２Ｄを配置した構成、換言すれば、断面略Ｕ字状の細溝を２つ並設した構成であり、その底部には、上記実施の形態と同様、２つの薄肉部１１０が形成されている。
【００３４】
この第１折り曲げ溝１１Ｃの底部幅Ｓ２ｃは、マット厚Ｔ１の約１／２の寸法（例えば、１０ｍｍ）に設定され、第２折り曲げ溝１１Ｄの底部幅Ｓ２ｄは、マット厚Ｔ１の約３／２の寸法（例えば、３０ｍｍ）、即ち、第１折り曲げ溝１１Ｃの底部幅Ｓ２ｃよりマット厚Ｔ１分大きい寸法に設定されている。
【００３５】
そして、第１のブロック１０Ａを第２のブロック１０Ｂへ折り畳む場合は、それらブロック１０Ａ，１０Ｂの表側面ＦＳ相互を重ね合わせるように折り畳まれ、第３のブロック１０Ｃを第２のブロック１０Ｂへ折り畳む場合は、それらブロック１０Ｂ，１０Ｃの表側面ＦＳ相互を向かい合わせるように折り畳まれる。
【００３６】
しかしながら、上記第２折り曲げ溝１１Ｄの底部幅Ｓ２ｄは、上述のとおり、第１折り曲げ溝１１Ｃの底部幅Ｓ２ｃよりマット厚Ｔ１分大きい寸法に設定されているから、マット主体１Ｄを折り畳む際には、第２のブロック１０Ｂ側に折り畳まれた第１のブロック１０Ａへ第３のブロック１０Ｃを重ね合わせた状態、所謂、一端側を巻き込むようにマット主体１Ｄを折り畳むことができる。従って、マット主体１Ｄが元の展開した状態へ戻り難く、折り畳んだ際の取り扱いが容易である。
【００３７】
さらに、上記折り曲げ溝１１Ｄの底部中央には、マット主体１Ｄの裏側面ＲＳ位置まで膨出する隆起部１２Ｄが形成されているから、その部位が沈み込んだり、ブロック１０Ａ，１０Ｂ，１０Ｃの片端が浮き上がったりしにくく、使用者に不快感を与えない。
【００３８】
また、上記実施の形態において、マット主体１の裏側面ＲＳに２つの折り曲げ溝１１Ａ，１１Ｂを備えたものを説明したが、図６（ａ）に示すように、マット主体１Ｅの裏側面ＲＳに３つの折り曲げ溝１１Ａ，１１Ｂ，１１Ｅを備え、マット主体１Ｅが４つのブロック１０Ａ，１０Ｂ，１０Ｃ，１０Ｄに区分けされたものであっても良い。
このものでは、上記折り曲げ溝１１Ａ，１１Ｂ，１１Ｅは、上記実施の形態と同様、その底部中央に隆起部１２Ａ，１２Ｂ，１２Ｅを有する断面略Ｗ字状の深溝であり、それら折り曲げ溝１１Ａ，１１Ｂ，１１Ｅの側壁（図示せず）および隆起部１２Ａ，１２Ｂ，１２Ｅの側面（図示せず）は、それぞれ傾斜角が略４５°の平面状に形成されている。
【００３９】
また、マット主体１Ｅの左端側に位置する第１折り曲げ溝１１Ａは、その底部幅Ｓ２ａがマット厚Ｔ１の約３倍の寸法（例えば、６０ｍｍ）に設定され、マット主体１Ｅの中央に位置する第２折り曲げ溝１１Ｂの底部幅Ｓ２ｂは、マット厚Ｔ１の約４倍の寸法（例えば、８０ｍｍ）に設定されている。さらに、マット主体１Ｅの右端側に位置する第３折り曲げ溝１１Ｅの底部幅Ｓ２ｅは、マット厚Ｔ１の約５倍の寸法（例えば、１００ｍｍ）、即ち、上記第２折り曲げ溝１１Ｂの底部幅Ｓ２ｂよりマット厚Ｔ１分大きい寸法に設定されている。
【００４０】
そして、マット主体１Ｅを折り畳む際には、まず、第１のブロック１０Ａをその隣の第２のブロック１０Ｂ側へ、それら裏側面ＲＳ相互を重ね合わせるように略１８０°折り畳み、次に、第２のブロック１０Ｂを、上記折り畳まれた第１のブロックとともに第３のブロック１０Ｃ側へ略１８０°折り畳み、その後、マット主体１Ｅの右端側に位置する第４ののブロック１０Ｄを第３のブロック１０Ｃ側へ、それら裏側面ＲＳ相互を向かい合わせるように略１８０°折り畳む。
【００４１】
これによって、マット主体１Ｅは、図（ｂ）に示すように、隣り合う２つの折り曲げ溝１１Ｂ，１１Ｅで区分けされた３つのブロック１０Ｂ，１０Ｃ，１０Ｄのうち、第３のブロック１０Ｃ側に折り畳まれた第２のブロック１０Ｂをその表側面ＦＳ上から第４のブロック１０Ｄで押さえ込んだ状態、所謂、一端側を巻き込むように折り畳むことができる。従って、マット主体１Ｅが元の展開した状態へ戻り難く、折り畳んだ際の取り扱いが容易である。
尚、上記実施の形態において、上記マット主体１は、ポリスチレンやポリプロピレン等の単一の熱可塑性樹脂発泡体を用いて形成したものであっても良いし、異種の熱可塑性樹脂発泡体を用いて複層状に形成したものであっても良い。
【図面の簡単な説明】
【００４２】
【図１】本考案の実施の形態に係る浴室用マットとして説明するマット主体１の表側を示す斜視図（ａ）および裏側を示す斜視図（ｂ）
【図２】本考案の実施の形態に係る浴室用マットとして説明するマット主体１の裏側のＸ−Ｘ部を示す平面図（ａ）およびＹ−Ｙ部を示す平面図（ｂ）
【図３】本考案の実施の形態に係る浴室用マットとして説明するマット主体１の折り曲げ溝１１Ａ，１１Ｂ近傍の長辺側端面図
【図４】本考案の実施の形態に係る浴室用マットとして説明するマット主体１を折り畳んだ状態を示す長辺側端面図
【図５】本考案の他の実施形態に係る浴室用マットを説明する長辺側端面図
【図６】本考案の他の実施形態に係る浴室用マットとして説明するマット主体１Ｅの裏側を示す斜視図（ａ）および折り畳んだ状態を示す長辺側端面図（ｂ）
【図７】従来の浴室用マットとして説明するマット主体９の斜視図（ａ）およびその折り曲げ溝９１近傍の長辺側端面図（ｂ）
【図８】従来の浴室用マットとして説明するマット主体９を折り畳む様子を示した長辺側端面図
【符号の説明】
【００４３】
１・・・マット主体
１０Ａ，１０Ｂ，１０Ｃ・・・ブロック
１１Ａ，１１Ｂ・・・折り曲げ溝
【図１】
0003125348.tif 000003
【図２】
0003125348.tif 000004
【図３】
0003125348.tif 000005
【図４】
0003125348.tif 000006
【図５】
0003125348.tif 000007
【図６】
0003125348.tif 000008
【図７】
0003125348.tif 000009
【図８】
0003125348.tif 000010